(57)【要約】      （修正有）【課題】素人であっても網等のスクリーンをよれることなく均等に張ることができ、その作業が容易であるサッシ枠組体に対するスクリーン張着装置を提供する。【解決手段】スクリーン張着用の蟻溝形の凹溝を設けてあるサッシ枠組体において、スクリーン２の各端に押出形材からなる中空の押縁付子３を配設した伸縮網枠１は、隣接両押縁付子３に対する連結用のコーナーピース５の出入り調整により縦横幅が変化するよう構成され、コーナーピース５は、隣接両押縁付子３に出入り可能に挿入される連結片２７が角ブロックに突設されたＬ字形であって、角ブロックには、スクリーン２が隅角で突き刺しにより結合される突起３１を形成してあり、スクリーンに弛みを持たせて突起３１に結合させて縮小してあった伸縮網枠１が、拡張により各押縁付子３およびコーナーピース５をスクリーン２の端ととともに凹溝に嵌入させることにより、スクリーン２を弛みなく緊張させる。【選択図】図５
2010159551.tif 000002
【特許請求の範囲】
【請求項１】
縦枠及び上下枠が枠組みされる内周においてスクリーン張着用の蟻溝形の凹溝を設けてあるサッシ枠組体において、そのスクリーンの張着につき、スクリーンの各端に押出形材からなる中空の押縁付子を配設した伸縮網枠が枠組みされ、その伸縮網枠は、隣接両押縁付子に対する連結用のコーナーピースの出入り調整により縦横幅が変化するよう構成され、コーナーピースは、出入り調整可能に隣接両押縁付子に出入り可能に挿入される連結片が角ブロックに突設されたＬ字形であって、角ブロックには、スクリーンが隅角で突き刺しにより結合される突起を形成してあり、スクリーンに弛みを持たせて突起に結合させて縮小してあった伸縮網枠が、拡張により各押縁付子およびコーナーピースをスクリーンの端ととともに凹溝に嵌入させることにより、スクリーンを弛みなく緊張させてなるサッシ枠組体に対するスクリーン張着装置。
【請求項２】
コーナーピースにそれを押縁付子およびスクリーンの端とともに凹溝に押し込む指掛けを設け、その指掛けがＬ字形の内角に角ブロックから突設され、押縁付子が中空の底部にスクリーンを通すスリットが形成され、スクリーンの各辺に押縁付子の中空の中においてスリットに掛かる膨出条が布地からなる縁テープを介して設けられ、スクリーンの各辺縁テープが押縁付子の一側面から底面に迂回して凹溝の内面に押し付けられ、スクリーンの各隅角には切欠を設け、コーナーピースの連結片が支えないよう前記突起が掛かる隅部を残して膨出条が欠除されていることを特徴とする請求項１記載のサッシ枠組体に対するスクリーン張着装置。
【請求項３】
押縁付子の両側外面に凹溝への嵌入に逃げ角で応じる逆止めヒレが突設されていることを特徴とする請求項１又は２記載のサッシ枠組体に対するスクリーン張着装置。
【発明の詳細な説明】
【技術分野】
【０００１】
この発明は、建物躯体に嵌着される窓枠、又は窓枠にスライド式に若しくは嵌込み式に装着される網戸等（この明細書では、この窓枠及び網戸等を「サッシ枠組体」と総称することとする）に、網等のスクリーンを装着するために工夫したサッシ枠組体に対するスクリーン張着装置に関する。
【背景技術】
【０００２】
従来、網戸等に網を張るには、枠組みの内周に沿った位置に蟻溝形の凹溝を形成しておいて、その凹溝に押縁とともに網の端部が押し込まれ、押縁の弾性により凹溝の両側面に挟持される。押縁には丸い断面に押出成形されるゴム紐、又は二股断面に押出成形される硬質プラスチック形材が使用されるが、変形自在な網材を４辺に沿って均等に張ることは、日曜大工程度の技術では到底困難であって、例えば、ゴム紐の場合一般的に時計回りに縁止めする作業手順となるが、素人では熟練しない限り弛みやしわがよる等、均等に張るには非常に困難が伴っていた。
【０００３】
このような問題を解決することを目的とするものとしては、特許文献１に記載したものを挙げることができる。これを図８に示して説明すると、この場合、サッシ枠組体が複層ガラスの障子が辷り出し式に装着される窓枠であって、障子の嵌着位置の内側に段差によりやゝ狭く開口部が形成され、その開口部の内周には、防虫網１０２を張着するために、段差に沿って蟻溝の凹溝１１３，１１４が設けられ、上下の凹溝１１３の側については（図ａ）、防虫網１０２の上下両端に予め押縁付子１０３を取り付けるために、その底部にスリット１２１を有する中空に形成し、防虫網１０２の端に押縁付子１０３の内部でスリット１２１に脱出不能に掛かる膨出条１３３が形成される。その結果、押縁付子１０３により防虫網の端が凹溝１１３に脱出不能に押し止められる。一方、左右両側の凹溝１１４，１１４については（図ｂ）、両押縁付子１０４が一対の逆止脚が突設される二股断面であって、防虫網１０２が凹溝１１４に側面で押さえ止められるだけであった。
【先行技術文献】
【特許文献】
【０００４】
【特許文献１】特開２００８−５０８０５号公報
【発明の概要】
【発明が解決しようとする課題】
【０００５】
特許文献１に記載されるサッシ枠組体に対する網材の取付装置によれば、
上下を先に張ってから左右に張る工程となると考えられる。しかし、網材を均等に張ることは困難であって、上下端部については防虫網１０２が膨出条１３３，１３３の脱出不能により押縁付子１０３，１０３に取り付けられて、最初から形の変化が抑えられるから、上下凹溝１１３，１１３への取付けは比較的容易である。ところが、防虫網の両側端部については形が自由に変化しやすいために、防虫網の端部に押縁付子１０４を添えた状態で共に凹溝に押し込むことには非常に困難を伴うという問題があった。
【０００６】
この発明は、上記のような実情に鑑みて、サッシ枠組体に凹溝を設けてそれにスクリーンの端部を押縁付子で押さえ止めるものであるが、スクリーンを押縁付子による枠組みで全体的に形を整えてから、凹溝に押し込み得るために、たとえ素人であっても網等のスクリーンをよれることなく均等に張ることができ、その作業が容易であるサッシ枠組体に対するスクリーン張着装置を提供することを課題とした。
【課題を解決するための手段】
【０００７】
上記の課題を解決するために、この発明は、縦枠及び上下枠が枠組みされる内周においてスクリーン張着用の蟻溝形の凹溝を設けてあるサッシ枠組体において、そのスクリーンの張着につき、スクリーンの各端に押出形材からなる中空の押縁付子を配設した伸縮網枠が枠組みされ、その伸縮網枠は、隣接両押縁付子に対する連結用のコーナーピースの出入り調整により縦横幅が変化するよう構成され、コーナーピースは、出入り調整可能に隣接両押縁付子に出入り可能に挿入される連結片が角ブロックに突設されたＬ字形であって、角ブロックには、スクリーンが隅角で突き刺しにより結合される突起を形成してあり、スクリーンに弛みを持たせて突起に結合させて縮小してあった伸縮網枠が、拡張により各押縁付子およびコーナーピースをスクリーンの端ととともに凹溝に嵌入させることにより、スクリーンを弛みなく緊張させてなるサッシ枠組体に対するスクリーン張着装置を提供する。
【０００８】
サッシ枠組体に対するスクリーン張着装置を上記のように構成したから、スクリーンを縮小した状態で枠組みして伸縮網枠を組み立て、サッシ枠組体の凹溝に押縁付子およびコーナーピースを添えながら拡張してスクリーンの端とともに凹溝に差し込むことにより、スクリーンを張りつけることができる。この場合において、初期の縮小状態では、コーナーピースの突起にスクリーンの隅角を弛ませて掛止しておくので、スクリーンの各隅角が拡張に応じることができる。
【発明の効果】
【０００９】
以上説明したように、この発明によれば、サッシ枠組体に蟻形の凹溝を設けてそれにスクリーンの端部を押縁とコーナーピースで押さえ止めるものであるが、スクリーンを押縁付子による枠組みにより予め全体的に整えてから、その枠組みを拡張して凹溝に押し込み得るために、その間に形崩れがなく、たとえ素人であっても網等のスクリーンをよれなく均等に張ることができ、その際にコーナーピースを外側へ移動させることにより緊張が確保され、４辺にわたって凹溝に押縁付子と共にスクリーンの端を押さえ込むことができるので、その作業が極めて容易であるという優れた効果がある。
【００１０】
加えて、請求項２および請求項３によれば、さらに作業が容易となると同時にスクリーンの緊張および取付け強度がさらに確保される。
【図面の簡単な説明】
【００１１】
【図１】この発明の一実施例を示す窓枠の概略縦断面図である。（実施例１）
【図２】左横を上にして転倒して示す同窓枠の概略横断面図である。（実施例１）
【図３】図１のＡ部の拡大断面図である。（実施例１）
【図４】図２のＢ部の拡大断面図である。（実施例１）
【図５】この発明に係る伸縮網枠の一部を示す分解斜視図である。（実施例１）
【図６】同伸縮網枠を装着する前の縮小した状態で示す一部平面図である。（実施例１）
【図７】同伸縮網枠を装着した時の拡大した状態で示す一部平面図である。（実施例１）
【図８】従来例を示す上枠の凹溝部分（ａ図）、および縦枠の凹溝部分（ｂ図）を示す各断面図である。（従来例）
【発明を実施するための形態】
【００１２】
次に、この発明の代表的な実施形態を説明する。
【００１３】
サッシ枠組体は、障子で開閉される窓枠Ｗばかりでなく、単なる開口部としての窓枠である網窓であったり、窓枠に嵌められる網戸であったりする。
また、スクリーンは、防虫網である場合ばかりでなく、障子紙や障子布であったりすること等も考えられる。
【実施例１】
【００１４】
図１ないし図７について、障子１１により開閉されるサッシ窓枠Ｗをサッシ枠組体とした場合である。それにスクリーンとしての防虫網２が押縁付子３，３，３，３の枠組みにより取り付けられ、その枠組みにはコーナーピース５，５，５，５が用いられる。つまり、押縁付子とコーナーピースとで防虫網２が張られる伸縮網枠１が組み立てられ、それが窓枠Ｗに組み込まれる。
【００１５】
窓枠Ｗは、左右縦枠７，７および上下枠８，８からなるもので、それぞれの中央段差により室内側半部がやゝ狭く形成され、室外側半部には複層ガラスの障子１１がする辷り出し式に開閉可能に取り付けられ、室内側半部においてそれに近接して防虫網２が張着される。そこで、張着部に沿って上下枠８，８および縦枠７，７に押縁付子３が嵌着される凹溝１３，１３，１４，１４が設けられ、凹溝１３，１４は、開口縁に突縁１７，１７を有する言わば蟻溝である。また、一側内面に逆止め突条１９が突設される。
【００１６】
伸縮網枠１を構成する押縁付子３は、プラスチックの押出形材からなり、矩形断面の中空であるが、その底部に防虫網２を通す細いスリット２１を設けてある。底面には室内側縁と室外端近くとに長脚２３と短脚２４とがそれぞれ突設され（図３，図４）、長脚２３が凹溝１３，１４の底面に突き、短脚２４が防虫網２の端を押さえるようになっている。また、両側外面には軟質若しくは半硬質の逆止めヒレ２５，２５，２５が突設される。但し、この逆止めヒレ２５は図５，図６，図７では無く、代わりに突条２６が形成される。
【００１７】
コーナーピース５は、角ブロック５ａに隣接両押縁付子３，３の双方に挿入される連結片２７，２７を有するものであるが、さらに、内角部分に指掛け２９を角ブロック５ａから突設したもので（図５，図６，図７参照）、その突設部３１が後に切断可能に細く形成される。また、角ブロック５ａの一面には中央部に防虫網２が突き刺される細い突起３１が突設される。なお、指掛け２９は、三角形であるが、リング状その他の形状に形成される。
【００１８】
防虫網２は、矩形の各辺に布地からなる縁テープ３２を設け、その端に軟質プラスチックにより膨出条３３が形成されたもので、膨出条３３が押縁付子３のスリット２１の内側に掛止される。したがって、各押縁付子３を組む場合には、まず、押縁付子３を膨出条３３にその端から挿入し、次に反転させることにより、スリット２１側の底部が枠外側に反転して縁テープ３２が押縁付子３の一側面から底部に回った状態が得られる。この状態で各隅角においてコーナーピース５が両押縁付子３，３に挿入されることにより伸縮網枠１が組み立てられるが、膨出条３３がコーナーピース５の連結片２７，２７に突き当たらないように、防虫網２が各隅角で切り欠かれ、膨出条３３が欠除している。こうして切り残った切欠隅部３５において防虫網２が突起３１に突き刺される。
【００１９】
図６は、伸縮網枠１が窓枠Ｗに納まる直前の縮まった状態を示したもので、コーナーピース５の連結片２７，２７が両押縁付子３，３に深く嵌まっており、拡張を予定して突起３１に防虫網２が掛止されているために、各切欠隅部３５に弛み３６が生じている。この際の伸縮網枠１の縦長をＬａ、横長をＭａとすると、この寸法Ｌａ，Ｍａは、窓枠Ｗの室内側半部の開口に丁度挿入できるように縦横内法にほゞ相当させておく。
【００２０】
防虫網２を張る場合には、指掛け２９，２９を持ちながら伸縮網枠１を窓枠Ｗの前記開口に挿入し、凹溝１３，１４の箇所に添わせてコーナーピース５，５を外角方向へ押す。なお、この場合、指掛け２９は全部を同時に、又は左右、上下一対ずつ操作すると、伸縮網枠１を拡張させやすい。拡張した状態を図７に示すが、これが最大の縦長Ｌ，横長Ｍであって、この状態で各押縁付子３，３，３，３がそれぞれの凹溝１３，１４に脱出不能に嵌まるために、防虫網２の緊張状態が保持される。この場合は、各押縁付子３が窓枠Ｗの内周面３０と面一となるよう体裁が図られている。さらに体裁を図るために、窓枠Ｗの内周面３０は押縁付子３と同質同色のプラスチック被覆面とされている。
【産業上の利用可能性】
【００２１】
本発明は、サッシ枠組体に凹溝を設けてそれにスクリーンの端部を押縁付子で押さえ止めるものであるが、スクリーンを押縁付子による枠組みで全体的に形を整えてから、凹溝に押し込み得るために、たとえ素人であっても網等のスクリーンをよれることなく均等に張ることができ、その作業が容易であるサッシ枠組体に対するスクリーン張着装置に利用することができる。
【符号の説明】
【００２２】
Ｗ  サッシ枠組体としての窓枠
１  伸縮網枠
２  スクリーンとしての防虫網
３  押縁付子
５  コーナーピース
７  縦枠
８  上下枠
１３，１４  凹溝
２１  スリット
２５  逆止めヒレ
２７  連結片
２９  指掛け
３１  突起
３２  縁テープ
３３  膨出条
３５  切欠隅部
【図１】
2010159551.tif 000003
【図２】
2010159551.tif 000004
【図３】
2010159551.tif 000005
【図４】
2010159551.tif 000006
【図５】
2010159551.tif 000007
【図６】
2010159551.tif 000008
【図７】
2010159551.tif 000009
【図８】
2010159551.tif 000010